(57)【要約】【課題】ＬＥＤ光源において発生する熱を、効率良く放出することができるＬＥＤ照明灯を提供すること。【解決手段】ＬＥＤ照明灯４は、ＬＥＤ照明ユニット１に、支承部を介して反射笠５をかぶせて構成される。該ＬＥＤ照明ユニット１は、１又は複数のＬＥＤ光源２を装着したセラミック基板９を、凹凸を具備する支持部材８の内部に取り付けて、カバーガラス１０をかぶせてなる、複数の板状モジュール３から構成され、該板状モジュールを筒状に、かつ相互に隙間を空けて配置させてなる。反射笠５は、上部に開口部を具備した、ほぼ裁頭円錐状の形状である。【選択図】図１
2012033452.tif 000002
【特許請求の範囲】
【請求項１】
複数のＬＥＤ光源が装着された複数の板状モジュールを、相互に隙間を空けて筒状に配置したＬＥＤ照明ユニット。
【請求項２】
複数のＬＥＤ光源が装着された複数の板状モジュールを、相互に隙間を空けて筒状に配置したＬＥＤ照明ユニットに、内面に反射面のあるほぼ裁頭円錐状の反射笠を、支承部を介してかぶせたＬＥＤ照明灯。
【請求項３】
前記反射笠は、その上部に開口部を有する請求項２記載のＬＥＤ照明灯。
【発明の詳細な説明】
【技術分野】
【０００１】  本発明はＬＥＤ照明灯に関するものである。
【背景技術】
【０００２】  発光ダイオードは、電気エネルギーを光に変換する効率が高いことから、電気エネルギーの消費を節約することができる。さらに発光ダイオードは寿命が長く、また水銀汚染による環境負荷もないなどの特徴を備えており、その将来性から、次世代の照明技術として、発光ダイオードに関する技術開発が盛んにおこなわれている。【０００３】  発光ダイオードの技術開発における課題の一つとして、従来のＬＥＤ照明灯では、大光量を得ようとしたときに発生する熱を十分に逃がすことが出来ないという問題がある。【０００４】  放熱効果をもつ従来技術の例として、特開２００４−２９６２４５号広報に示される発明がある。これは略円筒形状の支持部材の先端部より空気を流入させ、該支持部材のもう一方の先端に設けられた複数の放熱孔から空気を流出させるものである。
【先行技術文献】
【特許文献】
【０００５】
【特許文献１】特開２００４−２９６２４５号公報
【発明の概要】
【発明が解決しようとする課題】
【０００６】前記従来の技術の放熱効果により、ＬＥＤ光源の発熱を抑え、多数のＬＥＤ光源を配置させることが可能である。【０００７】  しかし、体育館などの高天井に設置する照明においては、さらに高密度のＬＥＤ光源を配置して、大光量を得ることができる照明灯が必要とされている。【０００８】  そこで本発明では、大光量を得るために十分な放熱効果をもつＬＥＤ照明灯を提供する。
【発明を解決するための手段】
【０００９】  本発明によるＬＥＤ照明ユニットは、複数のＬＥＤ光源が装着された複数の板状モジュールを配置している。該板状モジュールを筒状に並べて空気の流れを発生させる構造を持たせたことに加え、該板状モジュールを相互に隙間を空けて配置したことにより、さらに放熱効果を高めたことを特徴とする。
【００１０】  本発明によるＬＥＤ照明灯は、前記ＬＥＤ照明ユニットに、内面に反射面のあるほぼ裁頭円錐状の反射笠を、支承部を介してかぶせたことを特徴とする。
【００１１】  前記ほぼ裁頭円錐状とは、円錐及び円錐を外側に膨らませた形状の、頭頂部を切断して開口部を設けた形状をいう。
【００１２】  前記開口部の上部には、口金のような取り付け金具などの空気の流れを遮るものがなく、優れた放熱効果を発揮する。
【発明の効果】
【００１３】ＬＥＤ光源より発生した熱は、セラミック基板を介して支持部材に伝わる。該支持部材の側面には凹凸を設けてあり、ＬＥＤ照明ユニット内部の空気との熱交換が円滑に行われる。ＬＥＤ照明ユニット内部の空気は、支持部材によって暖められて上昇し、反射笠上部の開口部を通って大気中に拡散する。同時に、ＬＥＤ照明ユニット外部の空気が、板状モジュールの隙間からＬＥＤ照明ユニット内部に流れ込むため、ＬＥＤ照明ユニット内部の空気を効率よく循環させることができ、従来よりも多数のＬＥＤ光源を装着させて、大光量を得ることが可能となる。
【００１４】  前記反射笠の上部には開口部が設けられているため、該反射笠を設置しても、空気の循環を妨げることがなく、高い放熱効果を維持することができる。
【図面の簡単な説明】
【００１５】
【図１】ＬＥＤ照明灯の下方斜視図
【図２】ＬＥＤ照明灯の正面図
【図３】ＬＥＤ照明灯の垂直方向断面図と空気の流れ
【図４】ＬＥＤ照明ユニットの水平方向断面図と空気の流れ
【図５】ＬＥＤ照明ユニットの正面図
【図６】ＬＥＤ照明ユニットの底面図
【図７】ＬＥＤ照明灯の平面図
【図８】板状モジュールの斜視断面図
【図９】化粧板の断面図
【発明を実施するための形態】
【００１６】以下、本発明を具体的に明らかにするために、本発明の実施の形態について、図面を参照しつつ、詳細に説明する。
【００１７】  図１及び図３に示すように、本発明のＬＥＤ照明灯４は、ＬＥＤ照明ユニット１と、該ＬＥＤ照明ユニットに支承部６を介してかぶせた反射笠５とからなる。
【００１８】  前記ＬＥＤ照明ユニット１は、図４及び図５に示すように複数の板状モジュール３を筒状に並べてなるものであり、該板状モジュールは相互に隙間を空けた配置となっている。
【００１９】  図８に示すように、前記板状モジュール３は、１又は複数のＬＥＤ光源２を装着したセラミック基板９を、支持部材８の内部に装着し、たとえばポリカーボネート製などのカバーガラス１０をかぶせてなる板状のモジュールである。該支持部材には、放熱効果を高める目的で、表面積を大きくするための凹凸１２が設けられている。
【００２０】  セラミック基板９と支持部材８とは、たとえばシリコーン樹脂などの接着剤１１で接合されている。該接着剤は、ＬＥＤ光源２から発生する熱を速やかに支持部材８へ向けて放熱させるために、１Ｗ／ｍＫ以上の熱伝導率の材料を用い、０．５ｍｍ以下の厚みとすることが好ましい。
【００２１】  支持部材８は、たとえばアルミニウムなどの軽量で熱伝導率の高い金属からなり、さらに放熱性を高めるために、表面に複数の凹凸１２を設けることにより、表面積が大きくなるような形状となっている。また、支持部材表面を化学的に安定させるため、アルマイト処理が施されている。
【００２２】  図１に示すように、ＬＥＤ照明ユニット１の底部には、該ＬＥＤ照明ユニットの内部をカバーして美観を保つための化粧板１３が設置されている。該化粧板は複数の貫通穴を有しており、図９のように該貫通穴の上部に集光レンズ１４を介してＬＥＤモジュールが取り付けられている。
【００２３】  また、前記ＬＥＤ照明ユニット１に支承部を介して接続した反射笠５の上部には、図７に示すように開口部７が設けられており、該開口部をして空気の循環が起こるため、該反射笠を設置しても放熱効果を損なうことはない。
【００２４】  図５に示すようにＬＥＤ照明ユニット１の上部には反射笠５と接続するための支承部６が設けられており、該支承部の長さを高さ方向に調整することにより、ＬＥＤ照明灯から照射される光の配光を調整することが可能である。支承部６を長くしてＬＥＤ照明ユニット１を、下方に配置することにより広角に照射することが可能となる。また、支承部６を短くして、ＬＥＤ照明ユニット１を、上方に配置することにより狭い範囲を高い照度で照明することが可能となる。
【００２５】  次に本発明による放熱作用について説明する。ＬＥＤ光源２を発光させることにより生じる熱は、まずセラミック基板９に伝わり、続いて接着剤１１を通して熱伝導率の高いアルミニウム製の支持部材８へと伝わる。該支持部材の側面には凹凸１２があり、ＬＥＤ照明ユニット内部の空気と触れる面積が大きくなるため、効率よく熱交換が行われる。さらに図３及び図４に示すように、暖められた空気は、開口部７へ向かって上昇し、ＬＥＤ照明灯４の外部へ放出される。同時に、ＬＥＤ照明ユニット外部の空気が、板状モジュール間の隙間及びＬＥＤ照明ユニット１の下部から、ＬＥＤ照明ユニット内部へと流入して、空気の循環が起こる。これによりＬＥＤ光源の温度上昇が抑制され、多数のＬＥＤ光源を装着することが可能となり、大光量を得ることができる。
【００２６】  次に本発明品に付随するグレアの減少効果について説明する。ＬＥＤ光源２から発生する光の大部分は、反射笠５に反射して床面に照射される。したがって床面にいる人からは反射笠全体が発光しているように見えるため、該ＬＥＤ光源からの直接光の割合が減少し、本発明のＬＥＤ照明灯によれば、グレアを低減することも可能である。
【００２７】  図１に示す化粧板１３に取り付けられているＬＥＤ光源は、ＬＥＤ照明灯の真下を照明する目的で集光しているので、該ＬＥＤ照明灯の真下から見上げない限り、眩しさを感じることはない。
【符号の説明】
【００２８】１    ＬＥＤ照明ユニット        ２    ＬＥＤ光源
３    板状モジュール            ４    ＬＥＤ照明灯
５    反射笠                    ６    支承部
７    開口部                    ８    支持部材
９    セラミック基板            １０  カバーガラス
１１  接着剤                    １２  凹凸
１３  化粧板                    １４  集光レンズ
【図１】
2012033452.tif 000003
【図２】
2012033452.tif 000004
【図３】
2012033452.tif 000005
【図４】
2012033452.tif 000006
【図５】
2012033452.tif 000007
【図６】
2012033452.tif 000008
【図７】
2012033452.tif 000009
【図８】
2012033452.tif 000010
【図９】
2012033452.tif 000011